(57)【要約】【課題】直感的な操作感覚でヒストリ検索が行える波形測定装置を実現すること。【解決手段】波形画面の少なくとも一部に検索ゾーンが設定され、ヒストリメモリに格納されている全ヒストリ波形データの中から前記設定された検索ゾーンに波形の一部が含まれる波形データを抽出して表示するように構成された波形測定装置において、前記波形画面上の所望の位置を指定する位置指定手段と、この位置指定手段で指定された位置に前記検索ゾーンを表示する検索ゾーン設定手段、とで構成されたことを特徴とするもの。【選択図】                    図１
2010139346.tif 000002
【特許請求の範囲】
【請求項１】
波形画面の少なくとも一部に検索ゾーンが設定され、ヒストリメモリに格納されている全ヒストリ波形データの中から前記設定された検索ゾーンに波形の一部が含まれる波形データを抽出して表示するように構成された波形測定装置において、
前記波形画面上の所望の位置を指定する位置指定手段と、
この位置指定手段で指定された位置に前記検索ゾーンを表示する検索ゾーン設定手段、
とで構成されたことを特徴とする波形測定装置。
【請求項２】
前記位置指定手段は、タッチパネルであることを特徴とする請求項１記載の波形測定装置。
【請求項３】
前記位置指定手段は、マウスであることを特徴とする請求項１記載の波形測定装置。
【請求項４】
前記位置指定手段は、カーソルキーであることを特徴とする請求項１記載の波形測定装置。
【請求項５】
全ヒストリ波形データの表示を保ちながら、前記検索ゾーンにより抽出された複数の波形を順次高輝度で切り換え表示することを特徴とする請求項１から４のいずれかに記載の波形測定装置。
【発明の詳細な説明】
【技術分野】
【０００１】
本発明は、たとえばオシロスコープなどの波形測定装置に関し、詳しくは、ヒストリメモリに格納された波形データの検索表示に関するものである。
【背景技術】
【０００２】
オシロスコープの機能のひとつに、ヒストリ検索機能がある。この機能は、波形画面の少なくとも一部に所望の検索ゾーンを設定することにより、ヒストリメモリに格納されている全ヒストリ波形データの中から設定された検索ゾーンに波形の一部が含まれる波形データを抽出して表示するものである。
【０００３】
図５はこのようなヒストリ検索機能を有する従来の波形測定装置の一例を示すブロック図である。図５において、測定部１は、アナログ入力信号Ａｉｎを図示しないＡ／Ｄ変換器によりデジタルデータに変換し、ヒストリメモリ２に入力する。ヒストリメモリ２には、測定部１から変換出力されるデジタルデータに基づく複数枚数の画面の波形データが格納される。
【０００４】
検索ゾーン設定部３は、たとえばマウスでカーソルをドラッグすることにより、表示部６の表示画面の少なくとも一部に所望の検索ゾーンを設定して検索部４に格納する。検索部４は、検索ゾーンが設定されてヒストリ検索の実行が指示されると、ヒストリメモリ２に格納されている全ヒストリ波形データの中から設定された検索ゾーンに波形の一部が含まれる波形データを抽出し、画面生成部５に出力する。
【０００５】
画面生成部５は、これら検索部４で抽出された全ての波形データを表示部６に表示するための表示画面を生成して表示部６に出力する。これにより、表示部６には、全ヒストリ波形データと検索ゾーンとこの検索ゾーンに波形の一部が含まれる全ての波形データが識別可能に表示されることになる。
【０００６】
図６は図５の動作を説明する画面例図である。（Ａ）の画面では、ヒストリメモリに格納されている全ヒストリ波形データＡＷが表示されている。なお、この例では、全ヒストリ波形データＡＷのうち、１つの矩形波ＲＷが選択的に高輝度で表示されている。（Ｂ）の画面では、（Ａ）の画面に検索ゾーンＲＺが設定表示されている。
【０００７】
そして、（Ｃ）の画面では、ヒストリメモリ２に格納されている全ヒストリ波形データの中から設定された検索ゾーンＲＺに波形の一部が含まれる波形データＳＷが抽出され、複数の波形データＳＷが抽出された場合にはそのうちの１つがたとえばロータリーノブなどの選択手段で選択されて高輝度で表示されている。
【０００８】
特許文献１には、ヒストリメモリに格納されている波形データから、異常波形を容易に検索できる波形記録装置の構成が記載されている。
【０００９】
【特許文献１】特開２０００−２９２４４９号公報
【発明の開示】
【発明が解決しようとする課題】
【００１０】
しかし、このような従来の構成によれば、全ヒストリ波形データＡＷに対して検索ゾーンＲＺを設定し、検索ゾーンＲＺに波形の一部が含まれる波形データＳＷを抽出して表示させるまでの一連の操作が、煩雑であるとともに、直感的ではないという問題がある。
【００１１】
本発明は、このような問題点に鑑みてなされたものであり、その目的は、直感的な操作感覚でヒストリ検索が行える波形測定装置を実現することにある。
【課題を解決するための手段】
【００１２】
このような問題を解決するため、請求項１記載の発明は、
波形画面の少なくとも一部に検索ゾーンが設定され、ヒストリメモリに格納されている全ヒストリ波形データの中から前記設定された検索ゾーンに波形の一部が含まれる波形データを抽出して表示するように構成された波形測定装置において、
前記波形画面上の所望の位置を指定する位置指定手段と、
この位置指定手段で指定された位置に前記検索ゾーンを表示する検索ゾーン設定手段、
とで構成されたことを特徴とする。
【００１３】
請求項２記載の発明は、請求項１に記載の波形測定装置において、
前記位置指定手段は、タッチパネルであることを特徴とする。
【００１４】
請求項３記載の発明は、請求項１に記載の波形測定装置において、
前記位置指定手段は、マウスであることを特徴とする。
【００１５】
請求項４記載の発明は、請求項１に記載の波形測定装置において、
前記位置指定手段は、カーソルキーであることを特徴とする。
【００１６】
請求項５記載の発明は、請求項１から４のいずれかに記載の波形測定装置において、
全ヒストリ波形データの表示を保ちながら、前記検索ゾーンにより抽出された複数の波形を順次高輝度で切り換え表示することを特徴とする。
【発明の効果】
【００１７】
これらの波形測定装置によれば、直感的な操作感覚でヒストリ検索が行える。
【発明を実施するための最良の形態】
【００１８】
以下、本発明について図面を参照して説明する。図１は本発明の一実施例を示すブロック図であり、図５と共通する部分には同一の符号を付けている。図１と図５の相違点は、検索ゾーン設定部７と３の構成にある。また、表示部６には、タッチパネル機能が設けられているものとする。
【００１９】
検索ゾーン設定部７は、ゾーンカスタマイズ部７１、ゾーン移動部７２、格納部７３、操作制御部７４などで構成されている。
【００２０】
ゾーンカスタマイズ部７１は、必要に応じてたとえば図２のような大きさの異なる複数種類のゾーンパターンからなるゾーン選択画面ＺＳを表示部６に表示させて、初期設定されている検索ゾーンを用途に適したものに選択設定する。
【００２１】
ゾーン移動部７２は、ゾーンカスタマイズ部７１で選択設定された検索ゾーンを、表示部６の表示画面上でドラッグして所望の位置に表示させる。
【００２２】
格納部７３には、図２のようなゾーン選択画面ＺＳや後述のダイアログボックス画面ＤＢが格納されている。
【００２３】
操作制御部７４は、検索ゾーン設定部７全体の動作を制御する。
【００２４】
図３は図１の動作を説明する画面例図である。（Ａ）の画面では、ヒストリメモリに格納されている全ヒストリ波形データＡＷが表示されている。なお、この例では、全ヒストリ波形データＡＷのうち、矩形波ＲＷが選択的に高輝度で表示されている。
【００２５】
（Ｂ）の画面において、検索したい波形に指で触れると、その場所に初期設定されている所定パターンで所定の大きさの検索ゾーンＲＺが自動的に表示される。この検索ゾーンＲＺの位置は、指を画面から離す前ならばドラッグすることにより任意の位置に移動できる。また、検索ゾーンＲＺのパターンや大きさは、必要に応じて図２のゾーン選択画面ＺＳを表示させることにより、検索目的に合わせてカスタマイズ可能である。
【００２６】
（Ｂ）の画面状態で指を画面から離すと、（Ｃ）の画面に示すように、ヒストリ検索の実行要否を確認するダイアログボックスＤＢが表示される。
【００２７】
（Ｃ）の画面において、ダイアログボックスＤＢのＯＫボタンを選択することによりヒストリ検索が実行され、（Ｄ）の画面に示すように、ヒストリメモリ２に格納されている全ヒストリ波形データの中から設定された検索ゾーンＲＺに波形の一部が含まれる波形データＳＷが抽出され、選択的に高輝度で表示される。
【００２８】
これに対し、（Ｃ）の画面において、ダイアログボックスＤＢのＣａｎｃｅｌボタンを選択することにより図２のゾーン選択画面ＺＳが表示され、検索ゾーンＲＺのパターンや大きさを検索目的に合わせてカスタマイズできる。
【００２９】
図２のゾーン選択画面ＺＳのＯＫボタンを選択することにより選択されたパターンと大きさが確定し、再び（Ａ）の画面に戻る。これにより、カスタマイズされた検索ゾーンＲＺでのドラッグが可能な状態になる。
【００３０】
このように構成することにより、従来に比べると、より直感的な操作感覚でヒストリ検索を行うことができる。
【００３１】
なお、図３（Ｂ）の画面において、検索ゾーンＲＺの表示を省略してもよい。適切な検索ゾーンＲＺをプリセットできれば、あたかも波形に触れて選んだかのような感覚を与えることが可能であり、操作がより直感的になる。
【００３２】
また、図３（Ｃ）の画面を省略し、必ず実行するようにしてもよい。検索が自明である条件下（たとえばヒストリメニューを開いているとき）においては、操作がより単純化できる。さらに、指でタッチした瞬間に検索を実行するようにすると、ドラッグによる検索位置の微調整ができなくなるものの、操作はさらに直感的になる。
【００３３】
また、図３（Ｄ）において、全ヒストリ波形データＡＷの表示を保ちながら、セレクト波形（フォーカスされた波形）ＳＷのみをヒットしたものの中から選んだ一枚と差し替えるようにしてもよい。このように構成することにより、指でタッチした位置が狙った波形から微妙にずれていて期待通りの検索結果表示にならなかった場合などに、やり直しがしやすくなる。
【００３４】
図４はこのような動作を説明する画面例図である。（Ａ）、（Ｃ）に示すように、画面に指が触れるたびに、セレクト波形からヒストリメモリ２に格納されている波形データの格納時刻を時系列的に表すヒストリ番号の順方向（または逆方向）に検索を実行する。そして、（Ｂ）、（Ｄ）に示すように、最初にヒットした波形をフォーカスして選択的に高輝度で表示する。
【００３５】
なお、上記実施例では、表示部６がタッチパネルとして構成されていて指でタッチする例について説明したが、これに限るものではなく、たとえばマウスやカーソルキーなどで画面に表示される検索ゾーンをクリックして移動させたり選択指定したりするものであってもよい。
【００３６】
また、本発明に係る波形測定装置はオシロスコープに限るものではなく、ヒストリメモリに格納されている全ヒストリ波形データの中から設定された検索ゾーンに波形の一部が含まれる波形データを抽出して表示するヒストリ検索機能を有する各種の波形測定装置全般に適用できるものである。
【００３７】
以上説明したように、本発明によれば、直感的な操作感覚でヒストリ検索が行える波形測定装置が実現できる。
【図面の簡単な説明】
【００３８】
【図１】本発明の一実施例を示すブロック図である。
【図２】ゾーン選択画面ＺＳの具体例図である。
【図３】図１の動作を説明する画面例図である。
【図４】図１の動作を説明する他の画面例図である。
【図５】ヒストリ検索機能を有する従来の波形測定装置の一例を示すブロック図である。
【図６】図５の動作を説明する画面例図である。
【符号の説明】
【００３９】
１  測定部
２  ヒストリメモリ
４  検索部
５  画面生成部
６  表示部
７  検索ゾーン設定部
【図１】
2010139346.tif 000003
【図５】
2010139346.tif 000004
【図２】
2010139346.tif 000005
【図３】
2010139346.tif 000006
【図４】
2010139346.tif 000007
【図６】
2010139346.tif 000008